(57)【要約】【課題】上下２段の巻取位置にそれぞれ巻取軸１を設け、ウエブ材料のスリット後、そのウエブ材料を上段および下段の巻取軸１に巻き取るスリッタの巻取装置において、その構成が簡単であり、コストが低いようにする。【解決手段】上段および下段の巻取軸１が共通の側板２に支持される。さらに、ウエブ材料の巻き取り後、共通の側板２が巻取軸１の軸方向に移動し、共通の側板２によって上段および下段の巻取軸１が引っ張られ、上段および下段の巻取軸１が巻取製品３から抜き取られる。【選択図】図１
2006341982.tif 000002
【特許請求の範囲】
【請求項１】
上下２段の巻取位置にそれぞれ巻取軸を設け、ウエブ材料のスリット後、そのウエブ材料を上段および下段の巻取軸に巻き取るスリッタの巻取装置であって、前記上段および下段の巻取軸を共通の側板に支持し、前記ウエブ材料の巻き取り後、前記共通の側板を前記巻取軸の軸方向に移動させ、前記共通の側板によって前記上段および下段の巻取軸を引っ張り、前記上段および下段の巻取軸を巻取製品から抜き取るようにしたことを特徴とするスリッタの巻取装置。
【請求項２】
前記巻取軸の両端にそれぞれ共通の側板を位置させ、前記上段および下段の巻取軸を各側板に支持するとともに、前記上段および下段の巻取軸をその軸方向に２分割し、前記ウエブ材料を上段および下段の分割軸に巻き取り、巻き取り後、前記各側板を前記巻取軸の軸方向に移動させ、前記各側板によって各分割軸を引っ張り、前記各分割軸を巻取製品から抜き取るようにしたことを特徴とする請求項１に記載の巻取装置。
【請求項３】
前記各側板にそれぞれ駆動モータを設け、各モータを前記各分割軸に連結し、前記各モータによって前記各分割軸を回転させ、前記ウエブ材料を巻き取るようにしたことを特徴とする請求項２に記載の巻取装置。
【請求項４】
前記ウエブ材料の巻き取り後、前記上段および下段の巻取位置にそれぞれテーブルを配置し、巻取製品の両側において、複数の幅寄せ板を前記巻取軸の軸方向に移動させ、前記巻取製品に押し付け、前記巻取製品を前記巻取軸に沿って移動させ、前記巻取軸の中央位置に幅寄せし、幅寄せ後、前記各分割軸を前記巻取製品から抜き取り、前記巻取製品を各テーブルに支持するようにしたことを特徴とする請求項３に記載の巻取装置。
【請求項５】
前記巻取軸の一端において、前記上段および下段の巻取軸を前記共通の側板に支持し、他端において、前記上段および下段の巻取軸をベアリングに差し込み、支持し、前記ウエブ材料の巻き取り後、前記上段および下段の巻取軸を前記ベアリングから抜き取り、前記巻取製品から抜き取るようにしたことを特徴とする請求項１に記載の巻取装置。
【請求項６】
駆動モータを前記共通の側板に設け、前記上段および下段の巻取軸に連結し、前記駆動モータによって前記上段および下段の巻取軸を回転させ、前記ウエブ材料を巻き取るようにしたことを特徴とする請求項５に記載の巻取装置。
【請求項７】
前記ウエブ材料の巻き取り後、前記上段および下段の巻取位置にそれぞれテーブルを配置し、巻取製品の両側において、複数の幅寄せ板を前記巻取軸の軸方向に移動させ、前記巻取製品に押し付け、前記巻取製品を前記巻取軸に沿って移動させ、前記巻取軸の中央位置に幅寄せし、幅寄せ後、前記上段および下段の巻取軸を前記巻取製品から抜き取り、前記巻取製品を各テーブルに支持するようにしたことを特徴とする請求項６に記載の巻取装置。
【発明の詳細な説明】
【技術分野】
【０００１】
この発明は、プラスチックフィルム、紙などのウエブ材料のスリット後、そのウエブ材料を巻き取るスリッタの巻取装置に関するものである。
【背景技術】
【０００２】
スリッタの巻取装置として種々の形式のものが使用されているが、最近、上下２段の巻取位置にそれぞれ巻取軸が設けられ、ウエブ材料のスリット後、そのウエブ材料が上段および下段の巻取軸に巻き取られることが多い。たとえば、特開２００４−２５６２３０号公報（特許文献１）に記載されているものがそれである。
【０００３】
さらに、同公報の装置では、上段および下段の巻取軸が個別の保持装置に支持される。さらに、ウエブ材料の巻き取り後、個別の保持装置が巻取軸の軸方向に移動し、個別の保持装置によって上段および下段の巻取軸が引っ張られ、上段および下段の巻取軸が巻取製品から抜き取られる。
【０００４】
しかしながら、上段および下段の巻取軸を巻取製品から抜き取るとき、個別の保持装置を巻取軸の軸方向に移動させる必要がある関係上、その構成が複雑であり、コストが高いという問題がある。
【０００５】
したがって、この発明は、上下２段の巻取位置にそれぞれ巻取軸を設け、ウエブ材料のスリット後、そのウエブ材料を上段および下段の巻取軸に巻き取るスリッタの巻取装置において、その構成が簡単であり、コストが低いようにすることを目的としてなされたものである。
【特許文献１】特開２００４−２５６２３０号公報
【発明の開示】
【０００６】
そして、この発明によれば、上段および下段の巻取軸が共通の側板に支持される。さらに、ウエブ材料の巻き取り後、共通の側板が巻取軸の軸方向に移動し、共通の側板によって上段および下段の巻取軸が引っ張られ、上段および下段の巻取軸が巻取製品から抜き取られる。
【０００７】
好ましい実施例では、巻取軸の両端にそれぞれ共通の側板が位置し、上段および下段の巻取軸が各側板に支持される。さらに、上段および下段の巻取軸がその軸方向に２分割され、ウエブ材料が上段および下段の分割軸に巻き取られる。さらに、巻き取り後、各側板が巻取軸の軸方向に移動し、各側板によって各分割軸が引っ張られ、各分割軸が巻取製品から抜き取られる。
【０００８】
さらに、各側板にそれぞれ駆動モータが設けられ、各モータが各分割軸に連結され、各モータによって各分割軸が回転し、ウエブ材料が巻き取られる。
【０００９】
さらに、ウエブ材料の巻き取り後、上段および下段の巻取位置にそれぞれテーブルが配置され、巻取製品の両側において、複数の幅寄せ板が巻取軸の軸方向に移動し、巻取製品に押し付けられ、巻取製品が巻取軸に沿って移動し、巻取軸の中央位置に幅寄せされる。さらに、幅寄せ後、各分割軸が巻取製品から抜き取られ、巻取製品が各テーブルに支持される。
【００１０】
さらに、他の実施例では、巻取軸の一端において、上段および下段の巻取軸が共通の側板に支持され、他端において、上段および下段の巻取軸がベアリングに差し込まれ、支持される。そして、ウエブ材料の巻き取り後、上段および下段の巻取軸がベアリングから抜き取られ、ウエブ材料から抜き取られる。
【００１１】
さらに、駆動モータが共通の側板に設けられ、上段および下段の巻取軸に連結され、駆動モータによって上段および下段の巻取軸が回転し、ウエブ材料が巻き取られる。
【００１２】
さらに、ウエブ材料の巻き取り後、上段および下段の巻取位置にそれぞれテーブルが配置され、巻取製品の両側において、複数の幅寄せ板が巻取軸の軸方向に移動し、巻取製品に押し付けられ、巻取製品が巻取軸に沿って移動し、巻取軸の中央位置に幅寄せられる。さらに、幅寄せ後、上段および下段の巻取軸が巻取製品から抜き取られ、巻取製品が各テーブルに支持される。
【発明を実施するための最良の形態】
【００１３】
以下、この発明の実施例を説明する。
【００１４】
図１はこの発明にかかるスリッタの巻取装置を示す。この装置では、上下２段の巻取位置にそれぞれ巻取軸１が設けられ、ウエブ材料のスリット後、そのウエブ材料が上段および下段の巻取軸１に振り分けられ、巻き取られる。
【００１５】
さらに、この装置では、上段および下段の巻取軸１が共通の側板２に支持される。さらに、ウエブ材料の巻き取り後、共通の側板２が巻取軸１の軸方向に移動し、共通の側板２によって上段および下段の巻取軸１が引っ張られ、上段および下段の巻取軸１が巻取製品３から抜き取られる。
【００１６】
この実施例では、巻取軸１の両端にそれぞれ側板２が位置し、上段および下段の巻取軸１が各側板２に支持されている。さらに、上段および下段の巻取軸１がその軸方向に２分割されており、ウエブ材料が上段および下段の分割軸１に巻き取られる。さらに、この実施例では、各側板２にそれぞれ駆動モータ４が設けられ、各モータ４が各分割軸１に連結されており、各モータ４によって各分割軸１が回転し、ウエブ材料が巻き取られる。
【００１７】
さらに、各側板２にそれぞれナット部材５が設けられ、ナット部材５は送りねじ６にねじ合わされ、駆動モータに連結されている。駆動モータは分割軸１を回転させるモータ４であってもよく、他のモータであってもよい。さらに、側板２がガイドレール７に支持されており、送りねじ６およびガイドレール７は巻取軸１の軸方向にのびる。そして、ウエブ材料の巻き取り後、駆動モータによって各ナット部材５が回転し、ナット部材５および送りねじ６によって各側板２が移動する。側板２はガイドレール７に沿って移動する。したがって、各側板２が巻取軸１の軸方向に移動し、各側板２によって各分割軸１が引っ張られ、各分割軸１が巻取製品３から抜き取られる。
【００１８】
さらに、この実施例では、図２および図３に示すように、ウエブ材料の巻き取り後、上段および下段の巻取位置にそれぞれテーブル８が配置される。たとえば、上段および下段のテーブル８が共通の台車９に設けられ、共通の台車９によって上段および下段のテーブル８が送られ、これが上段および下段の巻取位置に挿入される。台車９のリフタによって各テーブル８を上昇および下降させ、その高さを調節することもできる。
【００１９】
さらに、この実施例では、巻取製品３の両側において、複数の幅寄せ板１０が巻取軸１の軸方向に移動し、巻取製品３に押し付けられ、各幅寄せ板１０によって巻取製品３が移動する。たとえば、上段の巻取位置において、一対の幅寄せ板１０が巻取製品３の両側に配置され、ガイドレール１１に支持され、チェーン１２に連結され、チェーン１２は駆動モータに連結されている。ガイドレール１１は巻取軸１の軸方向にのびる。チェーン１１は上側部分および下側部分を有し、巻取軸１の軸方向にのび、一方の幅寄せ板１０は上側部分に連結され、他方の幅寄せ板１０は下側部分に連結されている。そして、駆動モータによってチェーン１２が駆動され、チェーン１２によって各幅寄せ板１０が移動する。幅寄せ板１０はガイドレール１１に沿って移動する。したがって、各幅寄せ板１０が巻取軸１の軸方向に移動し、巻取製品３に押し付けられ、各幅寄せ板１０によって巻取製品３が移動する。巻取製品３は巻取軸１に沿って移動し、巻取軸１の中央位置に幅寄せされる。同様に、下段の巻取位置において、一対の幅寄せ板１０が巻取製品３の両側に配置され、ガイドレール１１に支持され、チェーン１２に連結されている。そして、駆動モータによってチェーン１２が駆動され、各幅寄せ板１０が巻取軸１の軸方向に移動し、巻取製品３に押し付けられ、巻取製品３が巻取軸１に沿って移動し、巻取軸１の中央位置に幅寄せされる。
【００２０】
さらに、巻取製品３の幅寄せ後、図４に示すように、各分割軸１が巻取製品３から抜き取られ、巻取製品３が各テーブル８に支持される。その後、台車９によって巻取製品３が取り出され、排出される。
【００２１】
したがって、この装置の場合、上段および下段の巻取軸１を巻取製品３から抜き取るとき、特開２００４−２５６２３０号公報の装置と異なり、個別の保持装置によって上段および下段の巻取軸を引っ張る必要はない。ウエブ材料の巻き取り後、共通の側板２を巻取軸１の軸方向に移動させると、共通の側板２によって上段および下段の巻取軸１を引っ張り、上段および下段の巻取軸１を巻取製品３から抜き取ることができ、その構成が簡単であり、コストは低い。
【００２２】
さらに、この装置では、巻取製品３の幅寄せ後、それが各テーブル８に支持される。この結果、テーブル８および台車９をコンパクト化することができる。巻取製品９を排出するとき、それを安定化することもできる。
【００２３】
図５は他の実施例を示す。この実施例では、巻取軸１は２分割されていない。さらに、巻取軸１の一端において、上段および下段の巻取軸１が共通の側板２に支持されており、他端において、図６に示すように、そのベアリング１３がブラケット１４に設けられ、上段および下段の巻取軸１がベアリング１３に差し込まれ、支持されている。さらに、駆動モータ４が共通の側板２に設けられ、上段および下段の巻取軸１に連結されており、駆動モータ４によって上段および下段の巻取軸１が回転し、ウエブ材料が巻き取られる。
【００２４】
さらに、ナット部材５が共通の側板２に設けられ、送りねじ６にねじ合わされ、駆動モータに連結されている。そして、ウエブ材料の巻き取り後、駆動モータ、ナット部材５および送りねじ６によって共通の側板２が移動する。側板２はガイドレール７に沿って移動する。したがって、共通の側板２によって上段および下段の巻取軸１が引っ張られ、上段および下段の巻取軸１がベアリング１３から抜き取られる。その後、上段および下段の巻取軸１が巻取製品３から抜き取られる。
【００２５】
さらに、図５の実施例では、ウエブ材料の巻き取り後、上段および下段の巻取位置にそれぞれテーブル８が配置される。したがって、上段および下段の巻取軸１が巻取製品３から抜き取られ、巻取製品３が各テーブル８に支持される。巻取製品３の両側において、複数の幅寄せ板１０を巻取軸１の軸方向に移動させ、巻取製品３に押し付け、巻取製品３を巻取軸１に沿って移動させ、巻取軸１の中央位置に幅寄せするようにしてもよい。たとえば、駆動モータによってチェーン１２を駆動し、幅寄せ板１０を移動させ、巻取製品３を巻取軸１の中央位置に幅寄せする。その後、上段および下段の巻取軸１を巻取製品３から抜き取り、巻取製品３が各テーブル８に支持されるようにしてもよい。
【図面の簡単な説明】
【００２６】
【図１】この発明の実施例を示す正面図である。
【図２】図１の装置にテーブルを挿入した状態を示す正面図である。
【図３】図２の装置の側面図である。
【図４】図１の巻取軸を巻取製品から抜き取った状態を示す正面図である。
【図５】他の実施例を示す正面図である。
【図６】図５の巻取軸とブラケットの断面図である。
【図７】図５の巻取軸を巻取製品から抜き取った状態を示す正面図である。
【符号の説明】
【００２７】
１  巻取軸
２  側板
３  巻取製品
４  駆動モータ
８  テーブル
１０  幅寄せ板
１３  ベアリング
【図１】
2006341982.tif 000003
【図２】
2006341982.tif 000004
【図３】
2006341982.tif 000005
【図４】
2006341982.tif 000006
【図５】
2006341982.tif 000007
【図６】
2006341982.tif 000008
【図７】
2006341982.tif 000009